(57)【要約】 【課題】視聴コンテンツの切り替えがあっても視聴者にコンテンツ毎の設定操作を強いることなく継続的な視聴を行うことのできる映像表示方法および映像表示装置を提供することを可能にする。【解決手段】本実施形態の映像表示方法は、２次元映像視聴モードから３次元映像視聴モードへの設定の切り替えを検出するステップと、表示画面に表示されて選択された３次元映像視聴設定を記憶するステップと、視聴している映像コンテンツに切り替えが発生したか否かを検出するステップと、前記映像コンテンツに切り替えが発生した場合には前記選択された３次元映像視聴設定を予め記憶された初期値に戻し、前記映像コンテンツに切り替えが発生しない場合には前記選択された３次元映像視聴設定を継続するように前記３次元映像視聴設定を指定するステップと、前記設定された３次元映像視聴設定に基づいて３次元映像表示の設定を行うステップと、前記設定された３次元映像表示に基づいて、３次元映像を表示するステップと、を備えている。【選択図】図２
2012178706.tif 000002
【特許請求の範囲】
【請求項１】
２次元映像視聴モードから３次元映像視聴モードへの設定の切り替えを検出するステップと、
表示画面に表示されて選択された３次元映像視聴設定を記憶するステップと、
視聴している映像コンテンツに切り替えが発生したか否かを検出するステップと、
前記映像コンテンツに切り替えが発生した場合には前記選択された３次元映像視聴設定値を予め記憶された初期値に戻し、前記映像コンテンツに切り替えが発生しない場合には前記選択された３次元映像視聴設定値を継続するように前記３次元映像視聴設定を指定するステップと、
前記設定された３次元映像視聴設定に基づいて３次元映像表示の設定を行うステップと、
前記設定された３次元映像表示に基づいて、３次元映像を表示するステップと、
を備えていることを特徴とする映像表示方法。
【請求項２】
３次元映像視聴モードへの設定の切り替えを検出した後に、選択されるべき３次元映像視聴設定のメニューを表示パネルに表示するステップを更に備えていることを特徴とする請求項１記載の映像表示方法。
【請求項３】
前記３次元映像視聴設定は、３次元映像のフォーマット、左右反転、飛び出しおよび奥行き量、奥行き情報の算出方法、および逆視警告の中から少なくとも１つが選択されることを特徴とする請求項１または２記載の映像表示方法。
【請求項４】
前記映像コンテンツに切り替えが発生したか否かの検出は、映像入力端子の切り替え、放送波チャネルの切り替え、放送波を通して通知される番組構成情報の切り替え、放送波／録画コンテンツ再生の切り替え、ネットワーク経由のストリーミング再生時のコンテンツ取得先情報の切り替え、または音声／動画ストリーム切り替えのいずれかを検出することにより行うことを特徴とする請求項１乃至３のいずれかに記載の映像表示方法。
【請求項５】
前記映像コンテンツに切り替えの発生を検出した後に、現在の３次元映像視聴設定値を継続するか、または初期値に戻すかのメニューを表示画面に表示するステップを更に備えていることをことを特徴とする請求項１乃至４のいずれかに記載の映像表示方法。
【請求項６】
２次元映像視聴モードから３次元映像視聴モードへの設定の切り替えを検出する視聴モード設定検出部と、
３次元映像視聴設定を選択して入力するための入力手段と、
前記選択された前記３次元映像視聴設定を記憶する３次元映像視聴設定設定部と、
視聴している映像コンテンツに切り替えが発生したか否かを検出する映像コンテンツ切り替え検出部と、
前記映像コンテンツに切り替えが発生した場合には前記選択された３次元映像視聴設定を予め記憶された初期値に戻す３次元映像視聴設定初期化部と、
前記映像コンテンツに切り替えが発生した場合には前記３次元映像視聴設定初期化部によって前記初期値に戻された前記３次元映像視聴設定を選択し、前記映像コンテンツに切り替えが発生しない場合には前記選択された３次元映像視聴設定を選択して３次元映像表示の設定を行う３次元映像表示設定部と、
前記３次元映像表示設定部によって設定された３次元映像表示に基づいて、３次元映像を表示する表示パネルと、
を備えていることを特徴とする映像表示装置。
【発明の詳細な説明】
【技術分野】
【０００１】
本発明の実施形態は、映像表示方法および映像表示装置に関する。
【背景技術】
【０００２】
近年、３次元映像表示機能を具備した映像表示装置が普及しだしている。しかし、一般家庭への広範な浸透はまだこれからであり、その操作方法、利便性について十分な検討が行われていない状況にある。
【０００３】
デジタル放送に対応したテレビ等を始めとする現在の映像再生装置の多くは、２次元映像視聴モードおよび３次元映像視聴モード毎に設定値を切替える機能は有している。しかし、単に２次元映像視聴モードと３次元映像視聴モードを切り替えるだけの機能では、放送波毎、外部入力端子毎、ネットワークによるストリーミングコンテンツ毎、録画コンテンツ毎等の様々な視聴コンテンツが入力映像として与えられる現状に対し適応しきれていない。
【先行技術文献】
【特許文献】
【０００４】
【特許文献１】特開２０１０−２６８０４８号公報
【発明の概要】
【発明が解決しようとする課題】
【０００５】
本発明が解決しようとする課題は、視聴コンテンツの切り替えがあっても視聴者にコンテンツ毎の設定操作を強いることなく継続的な視聴を行うことのできる映像表示方法および映像表示装置を提供することである。
【課題を解決するための手段】
【０００６】
本実施形態の映像表示方法は、２次元映像視聴モードから３次元映像視聴モードへの設定の切り替えを検出するステップと、表示画面に表示されて選択された３次元映像視聴モードを記憶するステップと、視聴している映像コンテンツに切り替えが発生したか否かを検出するステップと、前記映像コンテンツに切り替えが発生した場合には前記選択された３次元映像視聴設定を予め記憶された初期値に戻し、前記映像コンテンツに切り替えが発生しない場合には前記選択された３次元映像視聴設定を継続するように前記３次元映像視聴モードを設定するステップと、前記設定された３次元映像視聴設定に基づいて３次元映像表示の設定を行うステップと、前記設定された３次元映像表示に基づいて、３次元映像を表示するステップと、を備えていることを特徴とする。
【図面の簡単な説明】
【０００７】
【図１】第１実施形態による映像表示装置を示すブロック図。
【図２】第１実施形態において、映像コンテンツの切り替えが行われるときの動作を説明するフローチャート。
【図３】映像コンテンツの切り替えが行われるときの機能を示すブロック図。
【図４】３次元映像視聴モードの設定方法を説明する図。
【図５】図５（ａ）乃至５（ｃ）はＳＢＳフォーマットにおけるＬＲ構成とＲＬ構成を説明する図。
【図６】第２実施形態において、映像コンテンツの切り替えが行われるときの動作を説明するフローチャート。
【発明を実施するための形態】
【０００８】
以下に、図面を参照して実施形態を説明する。
【０００９】
（第１実施形態）
第１実施形態の映像表示装置を図１に示す。この実施形態の映像表示装置は、図示しないアンテナで受信した複数の第１放送波および第２放送波の電波はそれぞれ検波回路２１、２２において検波され、復調回路４に送られる。復調回路４において、ＭＰＥＧ圧縮された映像および音声の放送データが復調されて映像処理プロセッサ１０に送出される。
【００１０】
一方、複数の外部機器からの映像および音声信号、例えば第１乃至第３デジタル映像音声信号およびアナログ映像音声信号を外部入力信号受信回路６はそれぞれのポートにおいて受信し、視聴者が選択したポートの信号を映像データおよび音声データに分離して映像処理プロセッサ１０の映像入力回路１２および音声出力回路２０にそれぞれ送出する。
【００１１】
映像処理プロセッサ１０においては、復調回路４を介して送出される映像および音声データはＭＰＥＧデコード回路１４に送られて分離され、映像データおよび音声データは映像処理回路１８および音声出力回路２０にそれぞれ送出される。
【００１２】
送出されてきた映像データは映像処理回路１８において表示部パネル４４に適合するように処理され、その後、映像変換回路４０に送られる。また映像処理プロセッサ１０にはＣＰＵ２２が内蔵されており、このＣＰＵ２２は、外部から入力された映像信号が３次元映像か否かの判定や、２次元映像の場合に２次元映像から３次元映像への変換を行うか、あるいは３次元映像を継続的に視聴を行なうか等の設定メニューを表示パネル４４に表示して、それらの設定メニューから視聴者が選択した設定内容に基づいて３次元映像変換回路４０に指示を送る。例えば、これらの視聴者が選択した設定内容により、映像変換回路４０に対して、２次元映像無変換、２次元映像から３次元映像への変換、３次元映像から３次元映像への変換などの指示をＣＰＵ２２が行なう。そして、この指示に基づいて、映像変換回路４０において映像データが変換され、変換された映像データが映像変換回路４０から表示パネル制御回路４２を通して表示パネル４４に送られ、表示パネル４４において表示される。
【００１３】
一方、音声出力回路２０に送られてきた音声データは、音声アンプ４６に送られて増幅され、この増幅された音声データはスピーカー４８に送られて出力される。
【００１４】
また、映像処理プロセッサ１０はメモリ制御回路２４を有している。このメモリ制御回路２４は、プログラムメモリ３２へのプログラムデータのアクセス、およびワークメモリ３０への動作中におけるデータ制御、メニューのＧＵＩデータのアクセスを行うとともに、映像処理のための映像データのバッファリングなどをワークメモリ３０において行う。
【００１５】
視聴者の設定操作などの指令はリモコンからの赤外光をリモコン受信回路７において受信し、電源回路９などを制御するシステムコントローラ８を介して映像処理プロセッサ１０の通信回路１６との通信により取得され、ＣＰＵ２２に送られる。ＣＰＵ２２は、上記指令に基づいて設定を行う。視聴者が設定する操作メニューに関するＣＰＵ２２の動作について図２乃至図４を参照して説明する。
【００１６】
図２はＣＰＵ２２が映像ソース等の映像コンテンツの切り替えが行われるときの動作を説明するフローチャートであり、図３はＣＰＵ２２の機能ブロック図である。本実施形態においては、ＣＰＵ２２は、図３に示すように、視聴モード検出部２２ａと、３次元映像視聴設定部２２ｂと、映像コンテンツ切り替え検出部２２ｃと、３次元映像視聴設定初期化部２２ｄと、３次元映像表示設定部２２ｅとを備えている。
【００１７】
まず、視聴者が２次元映像を視聴しているときに（図２のステップＳ１）、視聴者が３次元映像視聴モードへの設定の切り替え行う（図２のステップＳ３）。この動作モードの切り替えは、例えば図示しないリモートコントローラを用いて視聴者が行う。３次元映像視聴モードへの切り替えが行われると、この設定の切り替えをＣＰＵ２２の視聴モード検出部２２ａが検出し、３次元映像視聴設定部２２ｂに指令信号を送る。すると、３次元映像視聴設定部２２ｂは、視聴者が選択できるように、３次元映像視聴設定が例示された設定メニューを表示パネル４４に表示させる（図４）。この表示パネル４４に例示された３次元映像視聴モードの内容の中から、視聴者２００が例えばリモートコントローラ６０を用いて少なくとも１つを選択するとともに、この選択された３次元映像視聴設定の内容を反映する。そしてこの指定された３次元映像視聴設定を３次元映像視聴設定部２２ｂが記憶する（図２のステップＳ５）。なお、３次元映像視聴設定の例としては、例えば、３次元映像のフォーマット、左右反転、飛び出しおよび奥行き量、奥行き情報の算出方法、および逆視警告等が挙げられる。
【００１８】
まず、３次元映像視聴設定の一例である３次元映像のフォーマットの設定について説明する。３次元映像には現在幾つかの標準フォーマットが規定されており、例えば、左右の視差画像を同時に伝送するサイドバイサイドフォーマット（以下、ＳＢＳフォーマットともいう）、左右の視差画像を上下に分けたトップアンドボトムフォーマット（以下、ＴＢフォーマット）、フレームパッキングフォーマット（以下、ＦＰフォーマットともいう）等が知られている。これらの３次元映像のフォーマットから一つのフォーマットを視聴者が選択し、設定する。
【００１９】
次に、３次元映像視聴設定の一例である左右反転の設定について説明する。ＳＢＳフォーマットでは、図５（ａ）に示す実際のオブジェクトに対して、図５（ｂ）に示すように、左側に左目用画像、右側に右目用画像が配置された構成（以下、ＬＲ構成ともいう）となっているものが大半である。しかし、図５（ｃ）に示すように、逆の構成、すなわち左側に右目用画像、右側に左目用画像が配置された構成（以下、ＲＬ構成ともいう）となっている映像が存在する。左右反転の設定とは、このような左右が反転した映像に対して、正しい３次元映像が表示できるように、左右反転の有無を設定することである。
【００２０】
次に、３次元映像視聴設定の一例である飛び出しおよび奥行き量の設定について説明する。３次元映像を視聴する場合には、一般的に映像表示装置には、標準的な飛び出しおよび奥行き量が初期的に設定されている。飛び出しおよび奥行き量の設定とは、視聴者の好みにより、飛び出し量または奥行き量を標準的に設定された量から変更することを意味し、この変更は、３次元映像をより迫力のあるものとして表示させたり、視聴者の眼精疲労を防止するために用いられる。
【００２１】
次に、３次元映像視聴設定の一例である奥行き情報の算出方法の設定について説明する。外部から送信されてきた２次元映像から３次元映像を生成して表示する場合には、元の２次元映像から奥行き情報を算出し、この算出された奥行き情報を用いて３次元映像を生成する。奥行き情報の算出方法の設定とは、奥行き情報の算出方法を選択し、設定することを意味する。奥行き情報の算出方法としては、例えば動きベクトルを用いて算出する方法、人の顔面に基づいて算出する方法、色に基づいて算出する方法等がある。
【００２２】
次に、３次元映像視聴設定の一例である逆視警告の設定について説明する。例えば裸眼方式（メガネなし）で３次元映像を表示する映像表示装置においては視聴者の視聴位置によって表示された映像が３次元映像として見えない領域（逆視領域）が存在する可能性があり、逆視警告の設定とは視聴者が上記領域に位置していることを警告表示すること意味する。逆視領域はパネルに対する視聴角度で一意に決まる場合と、カメラ等の検出器によってユーザの視聴位置を検出しその結果を用いて警告表示する方法等がある 。
【００２３】
このような３次元映像視聴設定は、予め標準設定として初期値が指定されている。３次元映像視聴設定の初期値としては、例えば、３次元映像のフォーマットはＳＢＳ方式であり、左右反転としてはＬＲ構成である。
【００２４】
再び図２に戻り、上述のようにして３次元映像視聴設定が指定された後に、映像コンテンツの切り替えが発生した場合を考える。以下の説明では、図２に示すステップＳ５において３次元映像視聴設定の左右反転指定としてＲＬ構成が設定されていると仮定する。映像コンテンツの切り替えが発生したか否かは、映像コンテンツ切り替え検出部２２ｃによって検出される（図２のステップＳ７）。映像コンテンツの切り替えとしては、映像入力端子の切り替え、放送波チャネルの切り替え、放送波を通して通知される番組構成情報（イベントＩＤ）の切り替え、放送波／録画コンテンツ再生の切り替え、ネットワーク経由のストリーミング再生時のコンテンツ取得先情報（ＵＲＩ）の切り替え、音声／動画ストリーム切り替え（解像度、エンコード方式、フレームレート等）等のいずれかを検出することにより行う。
【００２５】
図２のステップＳ７において、映像コンテンツ切り替え検出部２２ｃによって映像コンテンツの切り替えが検出されると、ステップＳ１０に進み、３次元映像視聴設定が初期設定に戻される。すなわち、ＲＬ構成がＬＲ構成に戻される。この初期設定に戻すことは３次元映像視聴設定初期化部２２ｄによって行われる。その後、戻された３次元映像視聴設定に基づいて３次元映像表示が３次元映像表示設定部２２ｅにおいて行われる。そして、この設定された３次元映像表示に基づいて、３次元映像表示設定部２２ｅから映像変換回路４０、表示パネル制御回路４２に指令信号が送られ、表示パネル４４によって上記３次元映像表示設定を反映した３次元映像の表示が行われる（図２のステップＳ１１）。また、図２のステップＳ７において、映像コンテンツの切り替えが行われていない場合は、すなわち映像コンテンツ切り替え検出部２２ｃによって切り替えが検出されない場合は、ステップＳ９に進み、３次元映像視聴設定が維持される。そして、この維持された３次元視聴設定に基づいて３次元映像表示の設定が３次元映像表示設定部２２ｅにおいて行われる。そして、この設定された３次元映像表示に基づいて、３次元映像表示設定部２２ｅから映像変換回路４０、表示パネル制御回路４２に指令信号が送られ、表示パネル４４によって上記３次元映像表示設定を反映した３次元映像の表示が行われる（図２のステップＳ１１）。
【００２６】
ＳＢＳフォーマットのコンテンツに関しては、現在その大多数がＬＲ構成である。このため左右反転設定の初期値はＬＲ構成として固定で変更できないか、あるいは必要に応じて視聴者が設定変更するとしている映像表示装置が多い。このような映像表示装置では視聴者が左右反転設定をＲＬ構成に変更すると、それ以降は視聴者が再度明示的に設定値をＬＲ構成に戻すか、あるいは３次元映像視聴モードから２次元映像視聴モードへと一旦遷移し、その後再度３次元映像視聴モードにしないと初期値であるＬＲ構成には復帰しなかった。このため、大多数のＳＢＳフォーマットのコンテンツはＬＲ構成のフォーマットであるにも関わらず、コンテンツが切り替わる度にユーザが明示的に再設定し直すか、あるいは３次元映像視聴モードを一旦取り止めることを視聴者に強いるため視聴者の利便性、連続性を大きく損なう。
【００２７】
しかし、本実施形態においては、映像コンテンツの切り替えを検出し、それに基づいて３次元映像視聴設定を初期値に戻している。このため、視聴コンテンツの切り替えがあっても視聴者にコンテンツ毎の設定操作を強いることなく継続的な視聴を行うことができる。
【００２８】
なお、第１実施形態においては、３次元映像視聴設定の一例として左右反転の設定を例にとって説明したが、他の例であっても第１実施形態と同様の効果を得ることができる。
【００２９】
（第２実施形態）
第２実施形態の映像表示装置を図６を参照して説明する。この第２実施形態の映像表示装置は、第１実施形態とは、ＣＰＵ２２の動作が異なる。第２実施形態におけるＣＰＵ２２の動作を図６に示す。この第２実施形態においては、第１実施形態において、ステップＳ８を新たに追加した構成となっている。すなわち、図６に示すステップＳ７において、映像コンテンツ切り替え検出部２２ｃによって映像コンテンツの切り替えが検出されると、ステップＳ８に進む。そして、映像コンテンツ切り替え検出部２２ｃは、視聴者が選択できるように、３次元映像視聴設定を継続するか、または初期設定値に戻すかの設定メニューを表示パネル４４に表示させる。この表示パネル４４に例示された設定メニューの中から、視聴者２００が例えばリモートコントローラ６０を用いてどちらかを選択する。
【００３０】
図６に示すステップＳ８において、３次元映像視聴設定を継続することを視聴者が選択した場合には、ステップＳ９に進み、３次元映像視聴設定が維持される。そして、この維持された３次元視聴設定に基づいて３次元映像表示が３次元映像表示設定部２２ｅにおいて行われる。そして、この設定された３次元映像表示に基づいて、３次元映像表示設定部２２ｅから映像変換回路４０、表示パネル制御回路４２に指令信号が送られ、表示パネル４４によって上記３次元映像表示設定を反映した３次元映像の表示が行われる（図６のステップＳ１１）。
【００３１】
図６に示すステップＳ８において、３次元映像視聴設定を初期値に戻すことを視聴者が選択した場合には、ステップＳ１０に進み、３次元映像視聴設定が初期値に戻される。すなわち、ＲＬ構成がＬＲ構成に戻される。この初期設定に戻すことは３次元映像視聴設定 初期化部２２ｄによって行われる。その後、戻された３次元映像視聴設定に基づいて３次元映像表示が３次元映像表示設定部２２ｅにおいて行われる。そして、この設定された３次元映像表示に基づいて、３次元映像表示設定部２２ｅから映像変換回路４０、表示パネル制御回路４２に指令信号が送られ、表示パネル４４によって上記３次元映像表示設定を反映した３次元映像の表示が行われる（図６のステップＳ１１）。
【００３２】
以上説明したように、第２実施形態も第１実施形態と同様に、視聴コンテンツの切り替えがあっても視聴者にコンテンツ毎の設定操作を強いることなく継続的な視聴を行うことができる。
【００３３】
なお、第２実施形態においては、第１実施形態と同様に、３次元映像視聴設定の一例として左右反転の設定を例にとって説明したが、他の例であっても第１実施形態と同様の効果を得ることができる。
【００３４】
上記第１および第２実施形態においては、映像コンテンツの切り替えとしては、映像入力端子の切り替え、放送波チャネルの切り替え、放送波を通して通知される番組構成情報（イベントＩＤ）の切り替え、放送波／録画コンテンツ再生の切り替え、ネットワーク経由のストリーミング再生時のコンテンツ取得先情報（ＵＲＩ）の切り替え、音声または動画ストリーム切り替え（解像度、エンコード方式、フレームレート等）等を検出することにより行っているので、視聴者に提示される映像コンテンツの切り替えの発生を細かく検出することが可能となる。
【００３５】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３６】
６  外部入力信号受信回路
１０  映像処理プロセッサ
１２  映像入力回路
１４  ＭＰＥＧデコード回路
１６  通信回路
１８  映像処理回路
２０  音声出力回路
２２  ＣＰＵ
２２ａ  視聴モード設定検出部
２２ｂ  ３次元映像視聴設定部
２２ｃ  映像コンテンツ切り替え検出部
２２ｄ  ３次元映像視聴設定初期化部
２２ｅ  ２次元映像表示設定部
４０  映像変換回路
４２  表示パネル制御回路
４４  表示パネル
４６  音声アンプ
４８  スピーカー
【図１】
2012178706.tif 000003
【図２】
2012178706.tif 000004
【図３】
2012178706.tif 000005
【図４】
2012178706.tif 000006
【図５】
2012178706.tif 000007
【図６】
2012178706.tif 000008